(57)【要約】【課題】ユーザの電話機及びユーザ指定端末とパケット網上の端末とにより音声及び映像の通信を行えるインターネット電話システムを実現する。【解決手段】パケット網４００からの着信があると、パケット電話処理部７で終端し制御部８へ通知される。制御部８は受信信号の音声以外のデータの有無を判定した後、メモリ９に登録されたユーザ指定端末２０１と電話機２００とを呼び出す。呼び出しに応じてユーザがユーザ指定端末２０１で着信した場合は、受信信号がパケット電話転送部１０を介してユーザ指定端末２０１へ転送される。また呼び出しに応じてユーザが電話機２００で着信した場合は、制御部８からコーデック部４でデジタル／アナログ変換後、内線電話処理部５を介して電話機２００へ転送される。公衆網３００からの通信においても同様に行われる。【選択図】　　　　図１
2004040191.tif 000002
【特許請求の範囲】
【請求項１】
電話機を接続する電話機接続手段と、公衆網に接続する公衆網接続手段と、パケット網に接続するパケット網接続手段と、
前記公衆網接続手段を介して前記公衆網と前記電話機との通信を処理する公衆網通信処理手段と、前記パケット網接続手段を介して前記パケット網と前記電話機との通信を処理するパケット網通信処理手段とを備えた端末アダプタ装置において、
ユーザ指定端末を接続する端末接続手段と、
前記公衆網又はパケット網からの受信信号における音声以外のデータの有無を判定する判定手段と、
前記ユーザ指定端末を指定する指定情報を記憶する記憶手段と、
前記判定手段の判定結果が音声以外のデータ有りのとき前記受信信号を前記記憶手段に記憶された指定情報で指定されたユーザ指定端末へ転送する転送制御手段とを設けたことを特徴とする端末アダプタ装置。
【請求項２】
前記電話機から入力された特定のダイヤル番号の信号を検出する検出手段を設けると共に、前記記憶手段に前記特定のダイヤル番号とユーザ指定端末を示す情報とを記憶し、前記転送制御手段は、前記検出手段の検出に応じて前記受信信号を前記ユーザ指定端末に転送することを特徴とする請求項１記載の端末アダプタ装置。
【請求項３】
前記ユーザ指定端末が通信可能状態になったことを検出する状態検出手段を設け、前記転送制御手段は、前記状態検出手段の検出に応じて前記受信信号の前記ユーザ指定端末への転送を行うことを特徴とする請求項１又は２記載の端末アダプタ装置。
【請求項４】
前記前記判定手段の判定結果により異なる通知形態で前記ユーザへ前記判定結果を通知する通知手段を設けたことを特徴とする請求項１、２又は３記載の端末アダプタ装置。
【請求項５】
電話機を接続する電話機接続手段と、公衆網に接続する公衆網接続手段と、パケット網に接続するパケット網接続手段と、ユーザ指定端末を接続する端末接続手段とを備えた端末アダプタ装置で用いられるプログラムであって、
前記公衆網接続手段を介して前記公衆網と前記電話機との通信を処理する公衆網通信処理と、
前記パケット網接続手段を介して前記パケット網と前記電話機との通信を処理するパケット網通信処理と、
前記公衆網又はパケット網からの受信信号における音声以外のデータの有無を判定する判定処理と、
前記判定処理の判定結果が音声以外のデータ有りのとき記憶手段に記憶された指定情報に応じたユーザ指定端末へ前記受信信号を転送する転送制御処理とをコンピュータに実行させるためのプログラム。
【請求項６】
前記電話機から入力された特定のダイヤル番号の信号を検出する検出処理と、前記検出処理の検出に応じて前記受信信号を前記ユーザ指定端末に転送する転送制御処理とをコンピュータに実行させるための請求項５記載のプログラム。
【請求項７】
前記ユーザ指定端末が通信可能状態になったことを検出する状態検出処理と、前記状態検出処理の検出に応じて前記受信信号を前記ユーザ指定端末へ転送する転送制御処理とをコンピュータに実行させるための請求項５又は６記載のプログラム。
【請求項８】
前記前記判定処理の判定結果により異なる通知形態で前記ユーザへ前記判定結果を通知する通知処理をコンピュータに実行させるための請求項５、６又は７記載のプログラム。
【発明の詳細な説明】
【０００１】
【発明の属する技術分野】
本発明は、パケット網、公衆網に接続し、電話機やパソコン等の端末から利用可能なインターネット電話システムにおいて使用される端末アダプタ装置及びこの装置におけるコンピュータが実行するプログラムに関するものである。
【０００２】
【従来の技術】
図９は従来のインターネット電話システムを示す構成図である。
図９において、ユーザ宅には、端末アダプタ装置１００が設置され、電話機２００が接続されている。また、端末アダプタ装置１００は、公衆網３００に接続されると共に、インターネット（以下、パケット網）４００に接続され、パケット網４００上には電話機、ＰＣ等の端末５００が接続されている。
【０００３】
図１０は従来の端末アダプタ装置１００の構成を示すブロック図である。
図１０において、１は電話機２００を接続する電話インターフェース、２は公衆網３００に接続する公衆網インターフェース、３はパケット網４００上の端末５００に接続するパケット網インターフェース、４はデジタルからアナログ、アナログからデジタルへのデータ変換を行うコーデック部、５は電話インターフェース１とコーデック部４の間に接続され、電話機２００からの通信を終端する内線電話処理部、６は公衆網インターフェース２とコーデック部３の間に接続され、公衆網３００からの通信を終端する外線電話処理部、７はパケット網インターフェース３とコーデック部４の問に接続され、パケット網インターフェース３上の端末５００からの通信を終端するパケット電話処理部、８はコーデック部４とパケット電話終端部との通信を中継する制御部である。
【０００４】
次に、上記構成による従来のインターネット電話システム及び端末アダプタ装置１００のパケット電話着信における一般動作について説明する。
電話機２００とパケット網４００上の端末５００との通信は、パケット網インターフェース３を介してパケット電話処理部７で終端する。その通信信号は制御部８からコーデック部４でデジタルデータからアナログデータに変換された後、内線電話処理部５に転送される。内線電話処理部５から電話インターフェース１を介して電話機２００へ伝えられ、通信が開始する。
また、電話機２００と公衆網３００上の電話機との通信は、公衆網インターフェース２を介して外線電話処理部６で終端する。その通信信号はコーデック部４、内線電話処理部５及び電話インターフェース１を介して電話機２００へ伝えられ、通信が開始する。
【０００５】
【発明が解決しようとする課題】
上述した従来のインターネット電話システムでパケット電話通信を行う場合は、端末アダプタ装置１００に接続された電話機２００でしか着信できないため、パケット電話通信は音声のみに限定されていた。また、図９のように電話機２００とＰＣ（パソコン）等の端末を接続し、端末でパケット電話通信を着信できるようにしても、パケット網４００から映像付のデータが送られて来た場合は、着信時に映像付かどうか判別できないので、音声通信しかできなかった。
【０００６】
本発明は上記の実情に鑑みなされたもので、パケット電話通信をユーザのパソコン等の端末で着信できるようにすることと、それが実現した場合にメディア内容を通知することでユーザがメディアに合わせて着信端末を電話機にするかＰＣにするかを選択できるようにすること、さらに、通信の途中で通信手段の切替えを可能にすることを目的としている。
【０００７】
【課題を解決するための手段】
上記の目的を達成するために、本発明による端末アダプタ装置は、電話機を接続する電話機接続手段と、公衆網に接続する公衆網接続手段と、パケット網に接続するパケット網接続手段と、前記公衆網接続手段を介して前記公衆網と前記電話機との通信を処理する公衆網通信処理手段と、前記パケット網接続手段を介して前記パケット網と前記電話機との通信を処理するパケット網通信処理手段とを備えた端末アダプタ装置において、ユーザ指定端末を接続する端末接続手段と、前記公衆網又はパケット網からの受信信号における音声以外のデータの有無を判定する判定手段と、前記ユーザ指定端末を指定する指定情報を記憶する記憶手段と、前記判定手段の判定結果が音声以外のデータ有りのとき前記受信信号を前記記憶手段で指定されたユーザ指定端末へ転送する転送制御手段とを設けたものである。
【０００８】
また、本発明によるプログラムは、電話機を接続する電話機接続手段と、公衆網に接続する公衆網接続手段と、パケット網に接続するパケット網接続手段と、ユーザ指定端末を接続する端末接続手段とを備えた端末アダプタ装置で用いられるプログラムであって、前記公衆網接続手段を介して前記公衆網と前記電話機との通信を処理する公衆網通信処理と、前記パケット網接続手段を介して前記パケット網と前記電話機との通信を処理するパケット網通信処理と、前記公衆網又はパケット網からの受信信号における音声以外のデータの有無を判定する判定処理と、前記判定処理の音声以外のデータ有りの判定結果に応じて記憶手段に記憶された前記ユーザ指定端末を指定する指定情報に応じてユーザ指定端末へ前記受信信号を転送する転送制御処理とをコンピュータに実行させるためのプログラムである。
【０００９】
従って、本発明によれば、前記公衆網又はパケット網から受信した信号の音声以外のデータの有無を判定し、判定結果が音声以外のデータ有りのとき記憶手段に記憶されたユーザ指定端末に前記受信信号が転送されるので、音声以外に映像の通信を実現することができる。
【００１０】
【発明の実施の形態】
以下、本発明の実施の形態を図面を参照して説明する。
図８は本発明の実施の形態によるインターネット電話システムを示す構成図であり、図９と対応する部分には同一番号を付して重複する説明は省略する。
本実施の形態においては、図示のようにユーザ宅に設置されたＰＣ等のユーザ指定端末２０１をパケット網４００に接続し、パケット網４００からの通信が映像付きである場合に、ユーザ指定端末２０１で着信できるようにしたものである。なお、本発明の実施形態では制御部８の機能として映像が、受信信号に付加されているか否かを判定するようにしているが、判定対象は、映像には限定されず、音声データ以外のデータを判定対象とするようにしてもよい。
【００１１】
図１は本発明の第１の実施の形態による端末アダプタ装置１００の構成を示すブロック図であり、図１０と対応する部分には同一番号を付して重複する説明は省略する。
本実施の形態は、図示のように従来の図１０の構成にメモリ９とパケット電話転送部１０を追加すると共に、受信した信号が、映像付きであるか否かを判定する判定機能を制御部８に追加したものである。
【００１２】
以下、図１を用いて端末アダプタ装置１００のパケット網４００上の端末５００（図８）からの通信をユーザ指定端末２０１が着信する手順について説明する。
（１）メモリ９に、ユーザ指定端末２０１を指定する情報をユーザにより予め登録しておく。この指定情報は、制御部８により受信信号が映像付きであるという判定結果あったとき有効となるものである。
【００１３】
（２）パケット網４００からの通信があると、パケット網インターフェース３を介してパケット電話処理部７で終端し、制御部８へ着信を通知する。
（３）制御部８は受信信号の映像の有無を判定した後、メモリ９に問い合わせ、指定されたユーザ指定端末２０１と電話機２００とを呼び出す。
（４）呼び出しの結果、ユーザがユーザ指定端末２０１で着信した場合は、パケット電話処理部７で終端した通信は、制御部８からパケット電話転送部１０を介してユーザ指定端末２０１へ転送される。
（５）もしくは、上記呼び出しの結果、ユーザが電話機２００で着信した場合は、制御部８からコーデック部４でデジタルデータがアナログデータに変換された後、内線電話処理部５を介して電話機２００へ転送される。
【００１４】
（６）公衆網３００からの通信においても、同様に、外線電話処理部６で終端後、制御部８はメモリ９に問い合わせ、転送可能なユーザ指定端末２０１及び電話機２００を呼び出す。
（７）呼び出しの結果、ユーザがユーザ指定端末２０１で着信した場合、コーデック部４でデジタルデータに変換後、パケット電話転送部１０によりユーザ指定端末２０１へ転送される。
（８）もしくは、上記呼び出しの結果、ユーザが電話機２００で着信した場合は、内線電話処理部５を介して電話機２００へ転送される。
【００１５】
本実施の形態によれば、パケット網４００上の端末５００及び公衆網３００上の端末と、電話機２００及びユーザ指定端末２０１との音声及び／又は映像の通信を実現することができる。
【００１６】
図２は本発明の第２の実施の形態による端末アダプタ装置１００の構成を示すブロック図で１であり、図１と対応する部分には同一番号を付して重複する説明は省略する。
本実施の形態は、図示のように図１の構成に検出部１１を追加したものである。
【００１７】
以下、図２を用いて、電話インターフェース１に接続された電話機２００で通信中、着信端末を切替えるためのユーザの操作によって、その通信を電話機２００からユーザ指定端末２０１へ転送する手順について、前記第１の実施の形態の内容を含めて説明する。
（１）ユーザは電話インターフェース１に接続された電話機２００を用いて通信を開始する（例えば前記（５）の場合）。
【００１８】
（２）ユーザがその通信が映像付きであると判ったとき、ユーザ指定端末２０１に切替える操作を行う（例えばユーザ指定端末２０１の電源を入れる）。ユーザ指定端末２０１が通信可能状態になり（例えば電源投入後の立ち上げ完了）、ユーザはそれを確認すると電話機２００から特定の番号をダイヤルする。
（３）そのダイヤル信号を検出部１１で検出して検出結果を制御部８へ通知し、制御部８は検出結果に基づいてメモリ９に問い合わせ、ユーザ指定端末２０１を知る。
（４）制御部８の指示により、パケットデータ転送部１０は受信信号を電話機２００からユーザ指定端末２０１へ転送する。尚、メモリ９には上記ダイヤル番号とユーザ指定端末２０１とが対応して予め登録されているものとする。
【００１９】
本実施の形態によれば、パケット網４００からの通信があったとき、電話機２００での通信中にユーザによる特定のダイヤル信号送出によって着信端末を電話機２００からユーザ指定端末２０１へ切り換えること、又は電話機２００での通信を継続したままユーザ指定端末２０１との通信を実施することができる。
【００２０】
図３は本発明の第３の実施の形態による端末アダプタ装置１００の構成を示すブロック図であり、図１と対応する部分には同一番号を付して重複する説明は省略する。
本実施の形態においては、図示のように図１の構成に端末状態把握部１２を追加したものである。
【００２１】
以下、図３を用いて電話機２００での通信中に、メモリ９で指定されたユーザ指定端末２０１が通信可能になったとき、端末状態把握部１２でそれを検出し、制御部８へ通知することによって、ユーザの切替え操作無しで、電話機２００からユーザ指定端末２０１へ自動的に転送する手順について、前記第１の実施の形態の内容を含めて説明する。
【００２２】
（１）ユーザは電話インターフェース１に接続された電話機２００で通信を開始する。
（２）ユーザ指定端末２０１が通信可能になると端末状態把握部１２がそれを検出し、制御部８へ通知する。
（３）制御部８から転送の指示を出すことにより、受信信号が電話機２００からユーザ指定端末２０１へ転送される。
【００２３】
本実施の形態によれば、電話機２００での通信中にユーザ指定端末２０１が通信可能になったらユーザの切替え操作無しで着信端末をユーザ指定端末２０１に自動的に切り換えること、もしくは電話機２００での通信を継続したままユーザ指定端末２０１との通信を実施することができる。
【００２４】
図４は本発明の第４の実施の形態による端末アダプタ装置１００の構成を示すブロック図であり、図１と対応する部分には同一番号を付して重複する説明は省略する。
本実施の形態は、図示のように図１の構成にメディア通知部１３を追加したものである。
【００２５】
以下、図４を用いてパケット網インターフェース３を介してパケット電話処理部７で終端した通信のメディアの内容をユーザに通知する手順について前記第１の実施の形態の内容を含めて説明する。
（１）予めユーザ設定により、メディアの内容に応じてどんな通知をするかの設定をメモリ９に書き込んでおく。
【００２６】
（２）パケット網４００からの通信をパケット網インターフェース３を介してパケット電話処理部７で終端し、制御部８へ着信を通知する。
（３）制御部８は、終端した通信の情報を基にメモリ９からメディア判別を行い、その結果をメディア通知部１３へ通知する。
（４）メディア通知部１３は、映像の有無に応じて着信メロディを送出することにより、ユーザにメディアの内容を通知する。
（５）もしくは、映像があるときは、メディア通知部１３によりランプを点灯させることにより、ユーザにメディアの内容を通知する。
なお、メディアの内容のユーザへの通知は、メディア通知部１３に接続されるパーソナルコンピュータの表示画面にその通知内容を示すメッセージを表示することにより行ってもよい。
【００２７】
本実施の形態によれば、パケット網４００からの通信があったとき、そのメディアの音声以外のデータとしての映像の有無を異なる通知形態でユーザに通知することができる。
【００２８】
図５は本発明の第５の実施の形態による端末アダプタ装置１００の構成を示すブロック図であり、図１、図２、図４と対応する部分には同一番号を付して重複する説明は省略する。
本実施の形態は、図示のように図１の構成に検出部１１とメディア通知部１３を追加したものである。
【００２９】
以下、図５を用いて、パケット電話終端部７で終端した映像が有る通信を電話インターフェース１に接続された電話機２００で開始後、着信端末を切り換えるためのユーザの操作によって、受信信号を電話機２００からユーザ指定端末２０１へ転送する手順について説明する。
（１）パケット網４００からの通信をパケット網インターフェース３を介してパケット電話処理部７で終端する。
（２）ユーザはメディア通知部１３によりメディアの内容（音声以外のデータの有無）が知った上で、電話インターフェース１に接続された電話機２００で通信を開始する。
【００３０】
（３）ユーザ指定端末２０１が通信可能状態になり、ユーザはそれを確認したら電話機２００より特定の番号をダイヤルする。
（４）そのダイヤル信号を検出部１１で検出し、検出結果を制御部８へ通知し、制御８はメモリ９からユーザ指定端末２０１を知る。
（５）制御部８からの指示により、パケット電話転送部１０は終端した通信を電話機２００からユーザ指定端末２０１へ転送する。
（６）もしくは、電話機２００で音声通信をしたままパケット電話処理部７で終端した音声以外の映像信号等をユーザ指定端末２０１へ転送する。
【００３１】
図６は本発明の第６の実施の形態による端末アダプタ装置１００の構成を示すブロック図で図であり、図１、図３、図４と対応する部分には同一番号を付して重複する説明は省略する。
本実施の形態は、図示のように図１の構成に端末状態把握部１２とメディア通知部１３を追加したものである。
【００３２】
以下、図６を用いて、音声以外のデータが有る通信を電話機２００で開始後、メモリ９で管理されているユーザ指定端末２０１が通信可能になった場合、端末状態把握部１２でそれを検出し、制御部８へ通知することによって、ユーザの切替え操作無しで、電話機２００からユーザ指定端末２０１へ自動的に転送する手順について前記第１、第４の実施の形態の内容を含めて説明する。
【００３３】
（１）パケット網４００からの通信をパケット網インターフェース３を介してパケット電話処理部７で終端する。
（２）ユーザはメディア通知部１３によってメディアの内容を知った上で電話インターフェース１に接続された電話機２００で通信を開始する。
（３）ユーザ指定端末２０１が通信可能になると、端末状態把握部１２がそれを検出し制御部８へ通知する。
（４）制御部８から転送の指示を出すことにより、受信信号をパケット電話転送部１０により電話機２００からユーザ指定端末２０１へ転送する。
（５）もしくは、電話機２００で音声通信をしたままパケット電話処理部７で終端した音声以外の映像信号等をユーザ指定端末２０１へ転送する。
【００３４】
図７は本発明の第７の実施の形態による端末アダプタ装置１００の構成を示すブロック図で図であり、図１〜図４と対応する部分には同一番号を付して重複する説明は省略する。
本実施の形態は、図示のように図１の構成に検出部１１、端末状態把握部１２及びメディア通知部１３を追加したものである。
【００３５】
以下、図７を用いて、音声以外のデータが有る通信を電話機２００で開始後、メモリ９で管理されているユーザ指定端末２０１が通信可能になり、メディア通知部１３で通信可能を通知され、ユーザが特定の操作をすることで、電話機２００からユーザ指定端末２０１へ転送する手順について前記第１、第４の実施の形態の内容を含めて説明する。
【００３６】
（１）バケット網４００からの通信をバケット網インターフェース３を介してバケット電話処理部７で終端する。
（２）ユーザはメディア通知部１３によってメディアの内容を知った上で電話インターフェース１に接続された電話機２００で通信を開始する。
（３）ユーザ指定端末２０１が通信可能になると、端末状態把握部１２がそれを検出し制御部８へ通知することにより、メディア通知部１３はユーザにユーザ指定端末２０１が通信可能であることを通知する。
【００３７】
（４）ユーザは電話機２００より特定の番号をダイヤルする。
（５）そのダイヤル信号を検出部１１で検出し、検出結果を制御部８へ通知する。
（６）制御部８からの指示により、パケット電話転送部１０は受信信号を電話機２００からユーザ指定端末２０１へ転送する。
（７）もしくは、電話機２００で音声通信をしたままパケット電話処理部７で終端した音声以外の映像信号等をユーザ指定端末２０１へ転送する。
【００３８】
次に、本発明の実施の形態によるプログラムについて説明する。
図１〜図７の前述した動作に基づく処理を、端末アダプタ装置１００におけるＣＰＵが実行するためのプログラムは、本発明によるプログラムを構成する。
【００３９】
このプログラムを記録するための記録媒体としては、光磁気ディスク、光ディスク、半導体メモリ、磁気記録媒体等を用いることができ、これらをＲＯＭ、ＲＡＭ、ＣＤ−ＲＯＭ、フレキシブルディスク、メモリカード等に構成して用いてよい。
【００４０】
またこの記録媒体は、インターネット等のネットワークや電話回線等の通信回線を介してプログラムが送信された場合のサーバやクライアントとなるコンピュータシステム内部のＲＡＭ等の揮発性メモリのように、一定時間プログラムを保持するものも含まれる。
【００４１】
また上記プログラムは、このプログラムを記憶装置等に格納したコンピュータシステムから伝送媒体を介して、あるいは伝送媒体中の伝送波により他のコンピュータシステムに伝送されるものであってもよい。上記伝送媒体とは、インターネット等のネットワーク（通信網）や電話回線等の通信回線（通信線）のように情報を伝送する機能を有する媒体をいうものとする。
【００４２】
また、上記プログラムは、前述した機能の一部を実現するためであってもよい。さらに、前述した機能をコンピュータシステムに既に記録されているプログラムとの組み合わせで実現できるもの、いわゆる差分ファイル（差分プログラム）であってもよい。
【００４３】
従って、この記録媒体を図１〜図７の装置又はシステムとは異なる装置又はシステムにおいて用い、その装置又はシステムのコンピュータがこのプログラムを実行することによっても、各実施の形態で説明した機能及び効果と同等の機能及び効果を得ることができ、本発明の目的を達成することができる。
【００４４】
【発明の効果】
以上説明したように本発明によれば、着信時にメディアの音声以外のデータの有無を判定することにより、ユーザはそのメディアに合った電話機又はＰＣ等の端末で着信することができる。また、音声データ以外のデータ（例えば、映像）付通信を音声通信で開始しても、再接続の操作無しで音声データ以外のデータ付通信に切換えることができる。
【図面の簡単な説明】
【図１】本発明の第１の実施の形態による端末アダプタ装置の構成を示すブロック図である。
【図２】本発明の第２の実施の形態による端末アダプタ装置の構成を示す
【図３】本発明の第３の実施の形態による端末アダプタ装置の構成を示すブロック図である。
【図４】本発明の第４の実施の形態による端末アダプタ装置の構成を示すブロック図である。
【図５】本発明の第５の実施の形態による端末アダプタ装置の構成を示すブロック図である。
【図６】本発明の第６の実施の形態による端末アダプタ装置の構成を示すブロック図である。
【図７】本発明の第７の実施の形態による端末アダプタ装置の構成を示すブロック図である。
【図８】本発明の実施の形態による端末アダプタ装置を用いたインターネット電話システムの構成を示すブロック図である。
【図９】従来のインターネット電話システムの構成を示すブロック図である。
【図１０】従来の端末アダプタ装置を示すブロック図である。
【符号の説明】
１：電話インタフェース、２：公衆網インタフェース、３：パケット網インタフェース、４：コーデック部、５：内線電話処理部、６：外線電話処理部、７：パケット電話処理部、８：制御部、９：メモリ、１０：パケット電話転送部、１１：検出部、１２：端末状態把握部、１３：メディア通知部、１００：端末アダプタ装置、２００：電話機、２０１：ユーザ指定端末、３００：公衆網、４００：パケット網、５００：端末
【図１】
2004040191.tif 000003
【図２】
2004040191.tif 000004
【図３】
2004040191.tif 000005
【図４】
2004040191.tif 000006
【図５】
2004040191.tif 000007
【図６】
2004040191.tif 000008
【図７】
2004040191.tif 000009
【図８】
2004040191.tif 000010
【図９】
2004040191.tif 000011
【図１０】
2004040191.tif 000012